(57)【要約】【課題】書き換え型光ディスクへのデータ書き込みにおいて、記録品質の安定化と記録回数の確保の両立を図る。【解決手段】光ディスク装置において、追記型光ディスクの光ディスク媒体に記録されている最大記録回数と記録回数を読み取り、最大記録回数と記録回数に応じて、光ディスクにデータを書き込むＷｒｉｔｅＳｔｒａｔｅｇｙを変更して、適切なレーザパワーにより、光ディスク媒体にデータを書き込むようにする。また、追記型光ディスクの光ディスク媒体に記録されている記録回数毎の区分されるＰＣＡ（Power Calibration Area）を読み取り、記録回数に応じたＰＣＡにより、ＯＰＣをおこなうようにする。【選択図】  図４
2013257922.tif 000002
【特許請求の範囲】
【請求項１】
追記型光ディスクの光ディスク媒体に記録されている最大記録回数を読み取り、
前記最大記録回数に応じて、前記光ディスクにデータを書き込むＷｒｉｔｅＳｔｒａｔｅｇｙを変更することを特徴とする光ディスク装置。
【請求項２】
前記光ディスク媒体に記録されている記録回数を読み取り、
前記記録回数に応じて、前記光ディスクにデータを書き込むＷｒｉｔｅＳｔｒａｔｅｇｙを変更することを特徴とする請求項１記載の光ディスク装置。
【請求項３】
前記光ディスク媒体に記録されているＲＭＤ（Recording Management Data）を読み取り、前記ＲＭＤからデータを書き込んだ記録回数を推測し、
前記推測された記録回数に応じて、前記光ディスクにデータを書き込むＷｒｉｔｅＳｔｒａｔｅｇｙを変更することを特徴とする請求項１記載の光ディスク装置。
【請求項４】
追記型光ディスクの光ディスク媒体に記録されている記録回数毎の区分されるＰＣＡ（Power Calibration Area）を読み取り、
前記記録回数に応じたＰＣＡにより、ＯＰＣをおこなうことを特徴とする請求項２記載の光ディスク装置。
【請求項５】
追記型光ディスクの光ディスク媒体にデータを書き込む光ディスク装置のオーバーライト制御方法において、
前記光ディスク媒体に記録されている最大記録回数を読み取るステップと、
前記光ディスク媒体に記録されている記録回数を読み取るステップと、
前記読み取った最大記録回数と、記録回数とに応じて、前記光ディスクにデータを書き込むＷｒｉｔｅＳｔｒａｔｅｇｙを変更して、前記ＷｒｉｔｅＳｔｒａｔｅｇｙに基づいて、前記光ディスク媒体にデータを書き込むためのレーザパワーを調整し、前記光ディスク媒体にデータを書き込むステップとを有することを特徴とする光ディスク装置のオーバーライト制御方法。
【請求項６】
追記型光ディスクの光ディスク媒体にデータを書き込む光ディスク装置のオーバーライト制御方法において、
前記光ディスク媒体に記録されている記録回数を読み取るステップと、
記録回数毎の区分されるＰＣＡ（Power Calibration Area）を読み取るステップと、
前記記録回数に応じたＰＣＡにより、ＯＰＣをおこない、前記光ディスク媒体にデータを書き込むためのレーザパワーを調整し、前記光ディスク媒体にデータを書き込むステップとを有することを特徴とする光ディスク装置のオーバーライト制御方法。
【発明の詳細な説明】
【技術分野】
【０００１】
本発明は、光ディスク装置、および、そのオーバーライト制御方法に係り、特に、書き換え可能な追記型光ディスクフォーマットのデータ書き込みにおいて、記録品質を安定化と、書き込み回数を両立化するのに好適な光ディスク装置、および、そのオーバーライト制御方法に関する。
【背景技術】
【０００２】
ＣＤ−Ｒ、ＤＶＤ−Ｒ、ＢＤ−Ｒなどの追記型光ディスクにデータを書き込む際には、ポリカーボネイト基板上に形成された記録層にレーザ光を照射することによっておこなうが、このときに、ディスク膜の記録感度、温度、レーザ波長変動による記録状態の違いなどにより、レーザ記録パワーを調整するのが、ＯＰＣ（Optimum Power Control)である。ＯＰＣでは、ディスク内周部のＰＣＡ（Power Calibration Area）にパワーを割り振って試し書きをおこない、ある評価基準に従って最適パワーを見つけるようにしている。
【０００３】
例えば、特許文献１には、データを記録する記録パワーをデータ記録回数に応じて切り替える光ディスク装置が開示されている。
【先行技術文献】
【特許文献】
【０００４】
【特許文献１】特開２００７−１０２９７８号公報
【発明の概要】
【発明が解決しようとする課題】
【０００５】
上記特許文献１の従来技術のように、追記型光ディスクのＯＰＣでは、現状の記録状態に応じてＰｏｗｅｒを変えるといったものが多いが、この場合には、ディスクの書き込み回数が少ないときには、高Ｐｏｗｅｒ設定となる傾向がある。そのため、記録品質は確保できても、以後の光ディスクにおけるＯｖｅｒｗｒｉｔｅ回数（書き込み可能な回数）においては減少してしまう。また、Ｏｖｅｒｗｒｉｔｅに適したＷｒｉｔｅＳｔｒａｔｅｇｙ（書き込み戦略）と記録品質に適したＷｈｔｅＳｔｒａｔｅｇｙは異なるものであり、これまではこの中間となるＷｒｉｔｅＳｔｒａｔｅｇｙを採用する傾向があった。ここで、ＷｒｉｔｅＳｔｒａｔｅｇｙとは、データを書き換え型光ディスクに書き込むためのマルチパルス変調の方式である。
【０００６】
本発明は、上記問題点を解決するためになされたもので、その目的は、書き換え型光ディスクへのデータ書き込みにおいて、記録品質の安定化と記録回数の確保の両立を図ることができる光ディスク装置を提供することにある。
【課題を解決するための手段】
【０００７】
本発明の光ディスク装置においては、追記型光ディスクの光ディスク媒体に記録されている最大記録回数を読み取り、最大記録回数に応じて、光ディスクにデータを書き込むＷｒｉｔｅＳｔｒａｔｅｇｙを変更するようにする。
【０００８】
また、光ディスク媒体に記録されている記録回数を読み取り、記録回数に応じて、光ディスクにデータを書き込むＷｒｉｔｅＳｔｒａｔｅｇｙを変更するようにする。
【０００９】
また、追記型光ディスクの光ディスク媒体に記録されている記録回数毎の区分されるＰＣＡ（Power Calibration Area）を読み取り、記録回数に応じたＰＣＡにより、ＯＰＣをおこなうようにする。
【発明の効果】
【００１０】
本発明によれば、書き換え型光ディスクへのデータ書き込みにおいて、記録品質の安定化と記録回数の確保の両立を図ることができる光ディスク装置を提供することができる。
【図面の簡単な説明】
【００１１】
【図１】本発明の一実施形態に係る光ディスク装置のブロック構成図である。
【図２】追記型光ディスクに対するＷｒｉｔｅＳｔｒａｔｅｇｙを説明するための図である。
【図３】追記型光ディスクの媒体の基本仕様について説明する図である。
【図４】本発明の一実施形態に係る追記型光ディスクに対するオーバーライト制御の処理を示すフローチャートである。
【図５】記録回数に応じたＷｒｉｔｅＳｔｒａｔｅｇｙの処理を示すフローチャートである。
【図６】記録回数に応じたＰＣＡ選択の処理を示すフローチャートである。
【図７】記録回数に応じたＴｏｐＰｏｗｅｒのパワーレベルを示すグラフである。
【発明を実施するための形態】
【００１２】
以下、図１ないし図７を用いて本発明に係る一実施形態を説明する。
先ず、図１を用いて本発明の一実施形態に係る光ディスクの構成を説明する。
図１は、本発明の一実施形態に係る光ディスク装置のブロック構成図である。
【００１３】
この図１は、光ディスク装置の中で、光ディスク媒体１（ＣＤ、ＤＶＤ、ＢＤなど）を回転させるための機構と、光ディスク媒体１からのデータ読み取りと書き込みのための機構を示したものである。
【００１４】
光ディスク媒体１は、ディスクモータ２により回転させられる。モータ駆動部６は、マイコン１２より制御信号を受け、ディスクモータ２を回転させるための電圧を発生させ、ディスクモータ２を回転させる。
【００１５】
光ピックアップ３は、フロントモニタ４、温度センサ５、アクチュエータ３１、対物レンズ３２、レーザダイオード３３からなる。
【００１６】
光ピックアップ３は、マイコン１２の制御により、サーボ制御部８を介してアクチュエータ（フォーカシングアクチュエータ、トラッキングアクチュエータ）３１を制御し、所望の位置にレーザダイオードからのレーザ光が位置づくように制御される。
【００１７】
フロントモニタ４は、レーザダイオード３３からの光量を制御回路にフィードバックするための回路である。温度センサ５は、光ピックアップ３での温度を計測し、マイコン１２に伝えるためのセンサである。
【００１８】
光ピックアップ３は、ＲＦ信号生成部７に接続されており、生成されたＲＦ信号は、デコーダ１１に入力され、デジタル数値化されて、マイコン１２に入力される。
【００１９】
一方、記録データは、エンコーダ１４に入力され、パルスとしてレーザドライバ１０に入力され、レーザパワー制御部９の制御により、レーザダイオード３３からレーザ光が照射され、光ディスク媒体１に書き込まれる。
【００２０】
マイコン１２は、以上のように光ピックアップから送られてきた情報を各部にフィードバックし、必要な演算をおこない各部を制御する。メモリ１３には、マイコン１２での演算のために必要な情報が保持される。
【００２１】
次に、図２を用いてＷｒｉｔｅＳｔｒａｔｅｇｙについて説明する。
図２は、追記型光ディスクに対するＷｒｉｔｅＳｔｒａｔｅｇｙを説明するための図である。
【００２２】
追記型光ディスクにおいては、ディスク媒体に実際に信号を記録する際に記録性能を上げるための方法として、ＤＶＤ−Ｒ、ＤＶＤ−ＲＷなど各々の媒体の種類に応じたＷｒｉｔｅＳｔｒａｔｅｇｙと呼ばれる記録レーザ出力のマルチパルス変調が規定されている。
【００２３】
図２は、基本的なＷｒｉｔｅＳｔｒａｔｅｇｙを示したものであり、一つの記録マークに対してレーザパルスの出力を、ＴｏｐＰｏｗｅｒとＭｕｌｔｉＰｏｗｅｒに分割し、記録マークに生ずる熱分布を制御するようになっている。レーザパワーのレベルとしては、ＤＶＤ−Ｒには、２値制御、ＤＶＤ−ＲＷには、オーバーライトを可能にするため３値制御が採用されており、特に、ＤＶＤ−ＲＷの場合には、図２に示されるように、パルス列の最後に冷却用のＣｏｏｌｉｎｇＰｏｗｅｒが配置されている。 
この手法により、前後の生成マーク間での熱干渉や生成マーク後端部での熱蓄積が緩和され、良好な記録再生ＲＦ信号を得ることが可能となる。
【００２４】
次に、図３を用いて追記型光ディスクの媒体の基本仕様について説明する。
図３は、追記型光ディスクの媒体の基本仕様について説明する図である。
【００２５】
追記型光ディスクは、図３に示されるように、Ｉｎｆｏｒｍａｔｉｏｎ  ａｒｅａとＲ−Ｉｎｆｏｒｍａｔｉｏｎ  ａｒｅａに分かれている。
【００２６】
Ｉｎｆｏｒｍａｔｉｏｎ  ａｒｅａは、記録再生のためのエリアであり、記録トラックとアドレスピットを含むＤａｔａＡｒｅａを有している。
【００２７】
Ｒ−Ｉｎｆｏｒｍａｔｉｏｎ  ａｒｅａは、管理領域のためのエリアであり、Ｉｎｆｏｒｍａｔｉｏｎ  ａｒｅａの内側に配され、ＰＣＡ（Power Calibration Area）、ＲＭＡ（Recording Management Area）を含んでいる。
【００２８】
ここで、ＰＣＡは、記録レーザパワーの校正に用いられるエリアであり、ＲＭＡは、必要な記録管理情報が記録されるエリアである。ＲＭＡは、ＲＭＤ（Recording Management Data）と呼ばれる管理データが書き込まれている。
【００２９】
本実施形態のＰＣＡは、後に説明するように、記録回数に応じて、校正にしようされるエリアが複数に区分されている。
【００３０】
また、本実施形態のＲＭＡには、予備領域（Reserved Area）に、ドライブＩＤ（DriveID）、最大記録回数(MaxRecNo)、記録回数(RecNo)の領域が取られる。ここで、ドライブＩＤは、この光ディスク媒体１のオーバーライト制御が実施される光ディスク装置のＩＤ、最大記録回数は、この光ディスク媒体１がデータを書き込むことが予定されている最大の記録回数、記録回数は、この光ディスク媒体１にこれまで実際にデータを書き込んだ回数である。この予備領域に記録されるドライブＩＤ、最大記録回数、記録回数については、後に詳説する。
【００３１】
次に、図４ないし図７を用いて本発明の一実施形態に係る追記型光ディスクに対するオーバーライト制御について説明する。
図４は、本発明の一実施形態に係る追記型光ディスクに対するオーバーライト制御の処理を示すフローチャートである。
図５は、記録回数に応じたＷｒｉｔｅＳｔｒａｔｅｇｙの処理を示すフローチャートである。
図６は、記録回数に応じたＰＣＡ選択の処理を示すフローチャートである。
図７は、記録回数に応じたＴｏｐＰｏｗｅｒのパワーレベルを示すグラフである。
【００３２】
先ず、光ディスク媒体１のＲＭＡなどの管理情報が記録されている領域から、光ディスク媒体１の最大記録回数(図３：MaxRecNo)を読み込む（Ｓ００）。これは、ＲＭＡに格納されている情報を読み取ることにより判定することができる。
【００３３】
次に、光ディスク媒体１が初回記録されるものであるか否かを判定する（Ｓ０１）。これは、ＲＭＡに格納されている情報を読み取ることにより判定することができる。
【００３４】
そして、光ディスク媒体１が初回記録されるものであると判定されたときには、記録回数を‘０’に設定する（Ｓ０９）。
【００３５】
光ディスク媒体が初回記録されるものでないときには、光ディスク媒体１上に記録回数の情報を持っているか否かを判定する（Ｓ０２）。後に、説明するように、本実施形態のオーバーライト制御では、光ディスク媒体１の所定のエリアに記録回数を記録するようにする。
【００３６】
光ディスク媒体１上に記録回数の情報を持っていると判定されたときには、その領域から記録回数（図３：RecNo）の情報を読み取る（Ｓ０３）。
【００３７】
光ディスク媒体１上に記録回数の情報を持っていないと判定されたときには、ＲＭＤ（Recording Management Data）などから記録回数を推測する（Ｓ０８）。ＲＭＤは、光ディスク媒体１に書き込んだ情報データに関するＲＭＡに書き込まれる管理データであり、光ディスク媒体１の情報データを書き込むたびに増加するデータである。
【００３８】
次に、Ｓ００で読み込んだ最大記録回数と、Ｓ０３、Ｓ０８、Ｓ０９のステップで求められた記録回数に応じた適切なＷｒｉｔｅＳｔｒａｔｅｇｙを選択する（Ｓ０４）。この最大記録回数、記録回数に応じてＷｒｉｔｅＳｔｒａｔｅｇｙを選択する処理は、後に詳説する。
【００３９】
次に、記録回数に応じて、ＯＰＣに用いるための適切なＰＣＡを選択する（Ｓ０５）。この処理は、光ディスク媒体１をアーカイブ用途に使うときに、予めＰＣＡを用意しておくものである。この記録回数に応じてＰＣＡを選択する処理は、後に詳説する。
【００４０】
そして、Ｓ０４で選択されたＷｒｉｔｅＳｔｒａｔｅｇｙと、Ｓ０５で選択されたＰＣＡを利用して、ＯＰＣをおこない最適なレーザの記録パワーを調整する（Ｓ０６）。
【００４１】
最後に、記録回数をその他の管理情報とともにＲＭＡの所定のエリアに格納する（Ｓ０７）。その際には、ＲＭＡの予備エリアに、ドライブＩＤ（光ディスク装置の機器ＩＤ）（図３：DriveID）とともに、記録回数を格納する。ここで、ドライブＩＤは、予備エリアに記録回数を格納したという目印とする情報である。
【００４２】
ここで、Ｓ００で読み込んだ最大記録回数は、１０００回であったとする。このときには、０−１０００回までの回数に応じて、図５に示されるように各々の回数に応じたＷｒｉｔｅＳｔｒａｔｅｇｙを選択する。
【００４３】
記録回数に応じた適切なＷｒｉｔｅＳｔｒａｔｅｇｙの選択は、図５に示されるように、記録回数を判定し（Ｓ２０）、例えば、記録回数＝０のときには、Ｓｔｒａｔｅｇｙ１（Ｓ２１）、記録回数＝１のときには、Ｓｔｒａｔｅｇｙ２（Ｓ２２）、記録回数＝２−１０のときには、Ｓｔｒａｔｅｇｙ３（Ｓ２３）、記録回数＝１１−１００のときには、Ｓｔｒａｔｅｇｙ４（Ｓ２４）、記録回数＝１０１−５００のときには、Ｓｔｒａｔｅｇｙ５（Ｓ２５）、記録回数＝５０１−１０００のときには、Ｓｔｒａｔｅｇｙ６（Ｓ２６）とする。
【００４４】
例えば、図２に示したＷｒｉｔｅＳｔｒａｔｅｇｙでは、最大記録回数が多くなるにつれて、ＴｏｐＰｏｗｅｒ、ＭｕｌｔｉＰｏｗｅｒ、ＥｒａｓｅＰｏｗｅｒのレーザパワーのレベルを低く設定する。例えば、図７に示すように、最大記録回数＝１０のときのＴｏｐＰｏｗｅｒのレーザパワーのレベルは、最大記録回数＝１０００のときに比べて高いものにして、書き込み品質を重視し、最大記録回数＝１０００のときには、ＴｏｐＰｏｗｅｒのレーザパワーのレベルを、最大記録回数＝１０のときと比べて低くし（記録回数＝０−１０のときの比較）、最大記録回数まで、光ディスク媒体１が書き込み可能であることを確保する。図７では、ＴｏｐＰｏｗｅｒのパワーレベルを、最大記録回数＝１０と、最大記録回数＝１０００を対比して示しているが、他のＭｕｌｔｉＰｏｗｅｒ、ＥｒａｓｅＰｏｗｅｒのレーザパワーのレベルのときも同様である。
【００４５】
次に、記録回数に応じた適切なＰＣＡの選択は、図６に示されるように、記録回数を判定し（Ｓ３０）、例えば、記録回数＝０のときには、ＰＣＡ１（Ｓ３１）、記録回数＝１のときには、ＰＣＡ２（Ｓ３２）、記録回数＝２−１０のときには、ＰＣＡ３（Ｓ３３）、記録回数＝１１−１００のときには、ＰＣＡ４（Ｓ３４）、記録回数＝１０１−５００のときには、ＰＣＡ５（Ｓ３５）、記録回数＝５０１−１０００のときには、ＰＣＡ６（Ｓ３６）とする。
【００４６】
ＰＣＡの各領域には、事前に、その回数分の記録をおこなったものを用意しておく。すなわち、上記のように、記録回数に応じて、記録回数の階層別に領域を用意し、その領域には事前にその回数分の記録をおこなっておくことにより、実際にその回数分Ｏｖｅｒｗｒｉｔｅされた領域でＯＰＣをおこなうことにより、より記録領域に適したレーザパワーの調整をおこなうことができる。このＰＣＡに関する処理は、光ディスク媒体１をアーカイブの用途などで使用するときに、事前に適切なＰＣＡを用意しておくことができるので、特に有効な方法である。
【００４７】
以上のように、本実施形態の追記型光ディスクに対するオーバーライト制御方法では、目標とする最大記録回数を予め設定し、その回数時のＷｒｉｔｅＳｔｒａｔｅｇｙを基準とすることにより、最大記録回数に応じた最適なＷｒｉｔｅＳｔｒａｔｅｇｙの設計をおこなうことができる。それによって、追記型光ディスクにおける記録品質の安定化と記録回数の確保の両立を図ることができる。また、Ｐｏｗｅｒ調整領域においても、Ｏｖｅｒｗｒｉｔｅ回数によって決められた階層ごとに、必要回数分Ｏｖｅｒｗｒｉｔｅした領域を用意し、実際にその領域を下地としてＰｏｗｅｒ調整をおこなうことにより、そのＯｖｅｒｗｒｉｔｅ回数に応じた最適なレーザパワーを求めることができる。
【００４８】
また、追記型光ディスクをアーカイブとして利用するなど、頻繁に光ディスク媒体１を取り出さない装置の場合は、ＳＲＡＭ（Static Random Access Memory）等を利用し、記録回数を管理してもよい。これによって、ＳｅｔｕｐＳｅｑｕｅｎｃｅ（光ディスク媒体１の管理情報の読み取りなどの初期設定）を通らなくても、記録中にＷｒｉｔｅＳｔｒａｔｅｇｙの切り替えをおこなうことができる。
【符号の説明】
【００４９】
１…光ディスク媒体、２…ディスクモータ、３…光ピックアップ、４…フロントモニタ、５…温度センサ、６…モータ駆動部、７…ＲＦ信号生成部、８…サーボ制御部、９…レーザパワー制御部、１０…レーザドライバ、１１…デコーダ、１２…マイコン、１３…メモリ、１４…エンコーダ、３１…アクチュエータ、３２…対物レンズ、３３…レーザダイオード。
【図１】
2013257922.tif 000003
【図２】
2013257922.tif 000004
【図３】
2013257922.tif 000005
【図４】
2013257922.tif 000006
【図５】
2013257922.tif 000007
【図６】
2013257922.tif 000008
【図７】
2013257922.tif 000009